(57)【要約】【課題】顔を動かさずに照準動作を容易迅速に行えるようにする。【解決手段】ブラケット５１の一端部がレリーズステー２０に固定され、ブラケット５１にボールヘッド５２の枢支部５２２の一端部が、ブラケット長手方向位置を調整自在に固定され、ボール５２３が軸５２４を介して円台部５２５が固着され、円台部５２５に照準器６０のベースが固定されている。照準器６０はデジタルカメラ１０の背面側から見てデジタルカメラ１０の左側に取り付けられている。モニターフード７０に取り付けられたルーペ７１の中心高さと照準器６０の半透鏡６３の中心高さとを略一致させ、ボール５２３の中心を通りルーペ７１の光軸に平行な直線の回りに照準器６０を回動させて照準器６０とルーペ７１との間隔Ｌａを撮影者の左右の眼の間隔に略一致させる。【選択図】図１
2006072187.tif 000002
【特許請求の範囲】
【請求項１】
照準器が固定される第１固定部と、
接眼レンズ鏡筒又は該接眼レンズ鏡筒と一体的に結合した部分に固定される第２固定部と、
該第１固定部と該第２固定部との間に、該第１固定部の第１軸方向の位置を調整自在に、該第１固定部の、該第１軸と略垂直な第２軸方向の位置を調整自在に、かつ、該第１固定部の、該第１軸の回りの角度を固定して又は調整自在に結合された調整部と、
を有し、該接眼レンズ鏡筒の光軸方向又は該接眼レンズ鏡筒と一体的に結合した部分の光軸方向が、該第１軸と該第２軸とに垂直な第３軸と略平行であることを特徴とする照準器調節具。
【請求項２】
該調整部は、ボールと、該ボールを回転自在に支持するボール枢支部と、一端部が該ボールに固定され他端部に該第１固定部が固定された軸とを備え、該ボール枢支部が該第２固定部に、該第１軸と平行な方向の位置を調整自在に固定されることを特徴とする請求項１記載の照準器調節具。
【請求項３】
該調整部は、該第１軸と平行な方向の位置を調整自在に該第２固定部に固定される部材と、その中心線の回りの回転角を調整自在かつ該第２軸と平行な方向の位置を調整自在に該部材に固定される軸とを備えていることを特徴とする請求項１記載の照準器調節具。
【請求項４】
該調整部は、一端部が該第１固定部に固定され他端部が該第２固定部に固定され、曲げ状態を維持するフレキシブルチューブを備えていることを特徴とする請求項１記載の照準器調節具。
【請求項５】
請求項１乃至４のいずれか１つに記載の照準器調節具と、
該照準器調節具の該第１固定部に固定され、半透鏡と、該半透鏡に向けて投光する発光素子とを備えた照準器と、
を有することを特徴とする、顔を移動させずに照準動作を行うことが可能な調節具付照準器。
【請求項６】
望遠鏡と、
被写体を表示させる表示パネルを備えたデジタルカメラと、
該望遠鏡を通して該デジタルカメラで望遠撮影するために該望遠鏡に該ジタルカメラを連結させるためのカメラアダプタと、
該表示パネルに取り付けられ、外光を遮断するフードと該フード先端部に取り付けられたルーペとを備えたルーペ付フードと、
請求項５記載の調節具付照準器と、
を有し、該デジタルカメラ、該カメラアダプタ又は該フードに該調節具付照準器の該第２固定部が直接又は間接的に固定され、該表示パネルの法線が該デジタルカメラの光軸と平行になるように該表示パネルが該デジタルカメラに取り付けられ、該デジタルカメラの背面側から見て該デジタルカメラの左側に該照準器が取り付けられていることを特徴とする照準器付望遠撮像装置。
【発明の詳細な説明】
【技術分野】
【０００１】
本発明は、デジタルカメラにアダプタを介し望遠鏡を結合した望遠撮像装置に用いて好適な調節具付照準器、その照準器調節具、及び照準器付望遠撮像装置に関する。
【背景技術】
【０００２】
デジタルカメラにアダプタを介して望遠鏡を接続したりすることにより、野鳥等を超望遠撮影することが可能となる。しかし、撮影倍率が高いので、被写体を撮像面内に導入することが容易でない。そこで、天体望遠鏡用又はライフル銃用の照準器を購入してデジタルカメラ上部に接着したりテープで固定したりすることが行われている。
【０００３】
照準器としては、ＬＥＤなどの発光素子からの光ビームを半透鏡に照射させて照準用赤色光点を形成するもの（ドットサイト）が市販されている（下記特許文献１）。
【０００４】
一方、デジタルカメラ背面に取り付けられた液晶表示画像は外光が入るとコントラストが低下して見づらい。そこで、この外光を遮光して画像を見やすくするために、フードが着脱自在に係止される（下記特許文献２）。フードには、遮光するだけのものと、表示画像を拡大するためのルーペが設けられたものがある。
【０００５】
しかしながら、照準器を覗いたり液晶画像を覗いたりする毎に、顔を移動させなければならず、しかも、交互に繰り返し覗かなければならず、さらに、視野が不連続的に切り替わるので、調整が容易でなくストレスを生じさせていた。このため、照準所要時間が長くなり、シャッターチャンスを逃す原因になっていた。
【特許文献１】特開平１０−３１８７００号公報
【特許文献２】特開２００１−０２４９１２号公報
【発明の開示】
【発明が解決しようとする課題】
【０００６】
本発明の目的は、このような問題点に鑑み、照準動作を容易迅速に行うことが可能な照準器調節具、調節具付照準器及び照準器付望遠撮像装置を提供することにある。
【課題を解決するための手段】
【０００７】
本発明による照準器付望遠撮像装置の一態様では、
望遠鏡と、
被写体を表示させる表示パネルを備えたデジタルカメラと、
該望遠鏡を通して該デジタルカメラで望遠撮影するために該望遠鏡に該ジタルカメラを連結させるためのカメラアダプタと、
該表示パネルに取り付けられ、外光を遮断するフードと該フード先端部に取り付けられたルーペとを備えたルーペ付フードと、
半透鏡と、該半透鏡に向けて投光する発光素子とを備えた照準器と、
該照準器が固定される第１固定部と、
接眼レンズ鏡筒又は該接眼レンズ鏡筒と一体的に結合した部分に固定される第２固定部と、
該第１固定部と該第２固定部との間に、該第１固定部の第１軸方向の位置を調整自在に、該第１固定部の、該第１軸と略垂直な第２軸方向の位置を調整自在に、かつ、該第１固定部の、該第１軸の回りの角度を固定して又は調整自在に結合された調整部とを有し、
該接眼レンズ鏡筒の光軸方向又は該接眼レンズ鏡筒と一体的に結合した部分の光軸方向が、該第１軸と該第２軸とに垂直な第３軸と略平行であり、
該デジタルカメラ、該カメラアダプタ又は該フードに該調節具付照準器の該第２固定部が直接又は間接的に固定され、該表示パネルの法線が該デジタルカメラの光軸と平行になるように該表示パネルが該デジタルカメラに取り付けられ、該デジタルカメラの背面側から見て該デジタルカメラの左側に該照準器が取り付けられている。
【発明の効果】
【０００８】
上記一態様の構成によれば、照準器の光軸高さをルーペ付フードの光軸高さに略一致させかつ両光軸間距離を左右の目の間隔に略一致させることができるので、顔を動かすことなく左右の眼で照準動作を容易迅速に行うことができ、照準所要時間が短縮されるので、シャッターチャンスを逃す機会が低減する。
【０００９】
本発明の他の目的、構成及び効果は以下の説明から明らかになる。
【発明を実施するための最良の形態】
【００１０】
以下、図面を参照して本発明の実施例を説明する。
【実施例１】
【００１１】
図１（Ａ）は、本発明の実施例１の照準器付望遠撮像装置を示す正面図であり、図１（Ｂ）はこの装置の右側面図である。
【００１２】
デジタルカメラ１０にレリーズステー２０がねじで固定され、レリーズステー２０の前面にカメラアダプタ３０のフランジ３１がねじで固定されている。カメラアダプタ３０内には望遠鏡４０の接眼部が挿入され、カメラアダプタ３０の前端部に形成された大径筒３２内に望遠鏡４０の大径基端部が嵌入当接され、大径筒３２に取り付けられたつまみ付き雄ねじ３３を締めることにより望遠鏡４０がカメラアダプタ３０に固定される。レリーズステー２０にはまた、照準器調節具５０を介して照準器６０が取り付けられている。デジタルカメラ１０の背面に取り付けられた液晶表示パネル１１の一対の辺にフード係止バー１２が形成され、これに、外光を遮光するためのモニターフード７０が係着されている。
【００１３】
図２は、照準器調節具５０並びにこれに連結されるレリーズステー２０及び照準器６０の分解斜視図である。
【００１４】
レリーズステー２０の底部には孔２１が形成され、これにつまみ付き雄ねじ２２の雄ねじ部が軸支部２６を介し挿入されて、図１のデジタルカメラ１０がレリーズステー２０に螺着される。レリーズステー２０の上部突出部にはねじ孔２３が形成され、これに不図示のレリーズ先端部がねじ込まれて、図１のデジタルカメラ１０のシャッターボタン１３をリモート操作することが可能となっている。
【００１５】
レリーズステー２０の前面には、図１のデジタルカメラ１０の対物レンズに対応して、開口２４が形成されている。開口２４の縁部にはねじ孔２５０〜２５２が形成され、これに不図示のねじが挿入されて図１のカメラアダプタ３０のフランジ３１がレリーズステー２０に螺着される。これにより、カメラアダプタ３０の基端部に設けられたゴムリング３４が、対物レンズ外周側のデジタルカメラ１０の前面を押圧する。
【００１６】
照準器調節具５０は、一端部がレリーズステー２０に固定されるブラケット５１と、ブラケット５１に一端部が固定されるボールヘッド５２とからなる。
【００１７】
ブラケット５１は、例えばアルミニューム板を加工して一体形成したものであり、上部にコ字形部５１０が形成され、その凹部にレリーズステー２０の底面縁部を嵌入し、コ字形部５１０の上端面に形成されたねじ孔５１１にねじ５１２を螺入することにより、ブラケット５１がレリーズステー２０に固定される。
【００１８】
ブラケット５１の正面には長孔５１３が形成され、これに、つまみ付き雄ねじ５２０の雄ねじ部５２１が挿入され、枢支部５２２の一端面に形成された不図示の螺孔に雄ねじ部５２１が螺入されて、枢支部５２２がブラケット５１に固定される。その固定位置は、長孔５１３の長手方向に沿って調整自在であり、この長手方向はレリーズステー２０の底面に垂直な方向である。
【００１９】
枢支部５２２の他端面側の内部には、ボール５２３がその中心の回りに回動自在に支持されている。ボール５２３には、軸５２４を介して円台部５２５が固着されている。円台部５２５の上面には、軸５２４と同心の雄ねじ部５２６が立設されている。枢支部５２２には、ボール５２３を中心として軸５２４を所定範囲で可動にするために、切欠５２７が形成されている。調整ねじ５２８（図１（Ａ）参照）は、枢支部５２２に対するボール５２３の締め付け具合を調整するためのものである。
【００２０】
一方、照準器６０のベース部は合成樹脂で形成され、その底面に結合板６１が不図示の係止具で固着される。結合板６１の中央部にはねじ孔６１０が形成され、これに雄ねじ部５２６が螺入されて円台部５２５に照準器６０が固定される。
【００２１】
照準器６０の上面前端部には短筒６２が形成され、これに半透鏡６３が嵌入固着されている。照準器６０には接眼レンズが設けられておらず、照準器６０の倍率は１倍である。照準器６０の基端部には投光部６４が設けられ、その内側に、光ビームを放射する発光素子として不図示の赤色ＬＥＤが備えられ、不図示のスイッチをオンにすると半透鏡６３に向けて光ビームが放射される。これにより、半透鏡６３に光点６５が形成される。
【００２２】
図３（Ａ）は、図１（Ａ）の装置から、照準器６０と、ブラケット５１以外の照準器調節具５０とを離脱させた状態を示す正面図であり、図３（Ｂ）はこの離脱された部分を示す正面図である。
【００２３】
モニターフード７０の後端部には、接眼レンズとしてルーペ７１が備えられ、これにより液晶表示パネル１１上の画像を拡大視することが可能となっている。
【００２４】
次に、照準器６０の高さ調整及び照準器６０とルーペ７１との間隔調整について説明する。
【００２５】
図１において、照準器６０のベースをカメラ光軸に略平行にする。
【００２６】
これにより、半透鏡６３で反射された光ビームがルーペ７１の光軸と平行になる。換言すれば、このようになるように半透鏡６３の傾斜角が、発光素子の位置との関係で定められている。
【００２７】
次に、つまみ付き雄ねじ５２０を緩め、ルーペ７１の中心高さと半透鏡６３の中心高さとが略一致するように枢支部５２２の高さ位置を調整し、つまみ付き雄ねじ５２０を締め付ける。
【００２８】
次に、ボール５２３の中心を通りルーペ７１の光軸に平行な直線の回りに照準器６０を回動させることにより、照準器６０とルーペ７１との間隔Ｌａを撮影者の左右の眼の間隔Ｌｅに略一致させ、調整ねじ５２８を締め付けて枢支部５２２に対しボール５２３を固定させる。このような間隔調整を行っても、照準器６０の高さは略一定に維持される。
【００２９】
次に、上述の高さ・間隔調整の後に行われる、カメラの光軸に対する照準器６０の角度微調整について説明する。
【００３０】
図４（Ａ）において、被写体８０に対する液晶表示パネル（１１）上の画像を８２とし、ルーペ（７１）を通して液晶表示画像８２を覗いたときの虚像を８３とし、発光素子の虚像を６６とする。
【００３１】
右眼で像８３を見ながら、被写体８０の標的８１が液晶表示パネル（１１）の中央点に一致するように望遠鏡の光軸方向を定め、三脚に対し望遠鏡を固定する。次に、左眼で発光素子像６６を見ながら、像６６が短筒６２（半透鏡６３）の中心にくるように、カメラの光軸に対する照準器６０の角度を調整する。
【００３２】
照準器６０の角度を調整する際に、望遠鏡に力が加わってその光軸が変化していることもあるので、左右の眼でそれぞれ像６６及び８４が半透鏡６３及び液晶表示パネル１１の中心に一致しているかどうかを同時に確認し、不一致であれば左右の眼で両光軸をさらに調整する。
【００３３】
間隔Ｌａが左右の眼の間隔に略一致しているので、このような角度調整をする際には瞼の開閉のみで顔を動かす必要がなく、調整を容易迅速に行うことができる。
【００３４】
この調整をさらに容易にしているのは、左眼で発光素子像６６を見ると同時に右眼で被写体像８３を見たときに、像６６が像８３と重なって見え、発光素子像６６を左眼で見ているのか右眼で見ているのか区別できないという事実（錯覚）である。すなわち、左眼から像６６への視線を延長させた標的８１が、像８３上の点８１に対応する標的８１と一致するように容易に調整できる点である。
【００３５】
調整においてこのような好ましい錯覚が生ずる理由は、以下の通りであろう。
【００３６】
図１（Ａ）において、光点６５から発光素子までの水平方向距離をＬｂ１、発光素子からルーペ７１までの、光軸に平行な水平方向距離をＬｂ２とすると、ルーペ７１に右眼を接近させたときにおける左眼から発光素子虚像までの距離Ｌｂは、
Ｌｂ＝２Ｌｂ１＋Ｌｂ２          （１）
となる。
【００３７】
一方、ルーペ７１の焦点距離をｆ、ルーペ７１と液晶表示パネル１１との間隔をＡとすると、ルーペ７１から図４の虚像８３までの距離Ｌｃは、レンズの公式
−１／Ｌｃ＋１／Ａ＝１／ｆ      （２）
から求まる。
【００３８】
距離ＬｂをＬｃに略等しくすることにより、左右の眼で普通に眺めるだけで、すなわち眼の焦点を虚像から離れた空間に置くことなく、上記錯覚を容易に起こさせることが可能となる。
【００３９】
実験例は以下の通りであった。
【００４０】
倍率ｍが３のルーペ７１を用いた。
【００４１】
２５０／ｆ＝ｍ                  （３）
より、このルーペ７１の焦点距離ｆは８３ｍｍである。ルーペ７１と液晶表示パネル１１との間隔Ａは５８ｍｍであった。この場合、上式（２）からＬｃ＝１９３ｍｍとなる。照準器６０としてＬｂ１＝７８ｍｍのものを用いた。また、距離ＬｂをＬｃと略等しくするために、Ｌｂ２＝２８ｍｍとした。この場合、Ｌｂ＝Ｌｂ１８４ｍｍとなり、距離Ｌｂは距離Ｌｃに略等しくなる。
【００４２】
調整をさらに容易にするには、次の理由であろう。
【００４３】
すなわち、上述の半透鏡６３とルーペ７１との間隔調整により、図４（Ｂ）に示すように、この間隔Ｌａを左右の眼の間隔Ｌｅより短くするとともに、照準器６０に対する左眼の相対位置を維持する（図４（Ａ）と同じにする）と、像８３がｍ（Ｌｅ−Ｌａ）だけ像６６側へ移動する。右眼から標的像８４への線分の延長線と左眼から発光素子像６６への線分の延長線との交点をＰとすると、左眼から交点Ｐまでの距離ＬｐがＬｂに近くなるので、上記錯覚がより一層高まり、調整が容易になるのであろう。
【００４４】
この錯覚をさらに助けるのは、像の明るさ及びコントラストであろう。すなわち、人は左右の眼で像を見たとき、入射光量が多い方の眼で見た像を主にするという性質があるようである。像の明るさに関しては例えば、左眼を半開きにし右眼を全開きにすると、右眼の像が左眼の像よりも明るくなるので、左右の眼で見た像は統一されるものの右眼で見た像が主となる。像のコントラストに関しては例えば、両眼が近眼の人が片方のみコンタクトレンズを装着すると、装着した方の眼で見た像が主となり、裸眼で像がぼやけてコントラストが低い方の像は補助的になるため、明瞭に見えると錯覚する。したがって、左眼を半開きにして発光素子像６６を見、右眼でモニターフード７０を通して液晶画像を見ると、図４において、被写体像８３のコントラストが高くかつ発光素子像６６が比較的明るいので、左眼で見た被写体８０が殆ど無視され、右眼で見た被写体像８３の中に発光素子像６６が現れ、この像６６を左右の眼のどちらで見ているのか区別できなくなる。
【００４５】
距離Ｌｃを一定にし距離Ｌｂを変化させてみたところ、ＬｂがＬｃから大きく離れても上記錯覚にあまり影響しないことを確認した。これは、発光素子虚像６６が点であることに因るものと考えられる。
【００４６】
本実施例１によれば、以上のような構成により、カメラの光軸に対する照準器６０の角度調整を、顔を動かすことなく左右の眼で容易迅速に行うことが可能となり、上述の錯覚を利用すれば角度調整をさらに容易迅速に行うことが可能となる。
【００４７】
同様に、照準器取付角度調整後において、顔を動かすことなく左右の眼で照準動作を容易迅速に行うことができ、照準所要時間が短縮されるので、シャッターチャンスを逃す機会が低減する。
【実施例２】
【００４８】
図５（Ａ）は、本発明の実施例２の照準器付望遠撮像装置を示す右側面図である。
【００４９】
この装置は、図１のユニバーサル形照準器調節具５０の代わりにｘθ形照準器調節具５０Ａが用いられている。
【００５０】
支持ブロック５２２Ａは、実施例１と同様に、つまみ付き雄ねじ５２０によりブラケット５１に螺着されている。支持ブロック５２２Ａは直方体であり、図５（Ｂ）の正面図に示すように、その長手方向に沿って長孔５２７Ａが形成されている。長孔５２７Ａには、一端部が円台部５２５に固着された軸５２４Ａが挿入され、軸５２４Ａの他端部に形成された雄ねじ部にレバー付ナット５２８Ａが螺入されて、円台部５２５が支持ブロック５２２Ａに固定されている。
【００５１】
ルーペ７１の中心高さに対する半透鏡６３の中心高さの調整は、実施例１と同様に、つまみ付き雄ねじ５２０を緩め、ブラケット５１に形成された図２に示す長孔５１３に沿って支持ブロック５２２Ａを高さ方向にスライドさせ、つまみ付き雄ねじ５２０を締め付けることにより行われる。
【００５２】
半透鏡６３とルーペ７１との間隔調整は、レバー付ナット５２８Ａを緩め、軸５２４Ａを長孔５２７Ａ内で移動させ、レバー付ナット５２８Ａを締め付けることにより行われる。
【００５３】
デジタルカメラ１０の光軸に対する照準器６０の角度調整は、レバー付ナット５２８Ａを緩め、軸５２４Ａを中心として照準器６０を回動させ、レバー付ナット５２８Ａを締め付けることにより行われる。
【００５４】
他の点は、上記実施例１と同一である。
【実施例３】
【００５５】
図６は、本発明の実施例３の照準器付望遠撮像装置を示す右側面図である。
【００５６】
ブラケット５１Ａは、下部がＬ字形に屈曲されている。照準器６０の水平方向及び垂直方向の位置を調整可能にするために、電気スタンド等に用いられているフレキシブルチューブ５２９が備えられている。フレキシブルチューブ５２９の一端部及び他端部には、中央部に不図示のねじ孔が形成された円板５２９ａ及び５２９ｂが固着されている。円板５２９ａのねじ孔には、一端部が円台部５２５に固着された軸５２４Ｂの他端部の雄ねじ部が螺入され、円板５２９ｂのねじ孔には、つまみ付き雄ねじ５２８Ｂの雄ねじ部がブラケット５１Ａを挟んで螺入されている。
【００５７】
他の点は、上記実施例１と同一である。
【００５８】
なお、本発明には外にも種々の変形例が含まれる。
【００５９】
例えば、デジタルカメラ１０やモニターフード７０の種類に応じて図４に示す距離ＬｂをＬｃに略一致させるために、図２に示す結合板６１に形成されたねじ孔６１０を、結合板６１の長手方向に沿った長孔と、結合板６１を介し雄ねじ部５２６の先端部に螺入されるナットとで置き換えた構成、又は、結合板６１の長手方向に沿ってねじ孔６１０を複数形成し、そのいずれかに雄ねじ部５２６を螺入させる構成であってもよい。また、距離ＬｂをＬｃに略一致させるために、モニターフード７０をその軸方向に伸縮自在な構成としてもよい。
【００６０】
さらに、照準器調節具５０、５０Ａ及び５０Ｂの取付対象は、レリーズステー２０に限定されず、デジタルカメラのホットシュー、カメラアダプタ３０又は望遠鏡であってもよい。
【００６１】
通常、被写体までの距離に対する光軸間隔Ｌａは非常に小さい値であるので、調整後の照準器６０の光軸はデジタルカメラ１０の光軸とほぼ平行になり、このため、請求項記載の第１軸の回りの角度調整可能範囲は０又は微小角であってもよい。通常、上述の高さ・間隔調整を行った後に照準器６０の光軸はデジタルカメラ１０の光軸に正確に平行になっていないので、第１軸の回りの角度調整が可能であることが好ましい。この場合、上述のように、本発明によれば顔を動かさずにこの角度調整を容易迅速に行うことが可能である。
【００６２】
また、本発明の調節具付照準器は、望遠撮像装置への適用に限定されず、デジタルカメラを取り付けない地上望遠鏡又は天体望遠鏡に取り付ける構成であってもよい。
【００６３】
図６において、つまみ付き雄ねじ５２８Ｂの雄ねじ部が挿入されるブラケット５１Ａの孔を長孔にして、該長孔でも上記間隔調整を行えるようにしてもよい。
【００６４】
望遠撮像装置は超望遠撮像装置を含む概念である。また、接眼レンズは上述のようなルーペ又は望遠鏡の接眼レンズである。さらに、図４（Ｂ）のようなＬａは略Ｌｅに含まれる。
【図面の簡単な説明】
【００６５】
【図１】（Ａ）は本発明の実施例１の照準器付望遠撮像装置を示す正面図であり、（Ｂ）はこの装置の右側面図である。
【図２】図１の照準器調節具並びにこれに連結されるレリーズステー及び照準器の分解斜視図である。
【図３】（Ａ）は、図１の装置から、図１の照準器と、ブラケット以外の照準器調節具とを離脱させた状態を示す正面図であり、（Ｂ）はこの離脱された部分を示す正面図である。
【図４】（Ａ）及び（Ｂ）は、カメラの光軸に対する照準器の角度調整方法説明図である。
【図５】本発明の実施例２の照準器付望遠撮像装置を示す右側面図である。
【図６】本発明の実施例３の照準器付望遠撮像装置を示す右側面図である。
【符号の説明】
【００６６】
１０    デジタルカメラ
１１    液晶表示パネル
２０    レリーズステー
２２、３３、５２０、５２８Ｂ  つまみ付き雄ねじ
２３、２５０〜２５２、５１１、６１０  ねじ孔
３０  カメラアダプタ
４０  望遠鏡
５０、５０Ａ、５０Ｂ  照準器調節具
５１  ブラケット
５１０  コ字形部
５１２  ねじ
５１３、５２７Ａ  長孔
５２  ボールヘッド
５２１、５２６  雄ねじ部
５２２  枢支部
５２２Ａ  支持ブロック
５２３  ボール
５２４、５２４Ａ、５２４Ｂ  軸
５２５  円台部
５２８Ａ  レバー付ナット
５２９  フレキシブルチューブ
５２９ａ、５２９ｂ  円板
６０  照準器
６１  結合板
６３  半透鏡
６４  投光部
６５  光点
６６  発光素子虚像
７０  モニターフード
７１  ルーペ
【図１】
2006072187.tif 000003
【図２】
2006072187.tif 000004
【図３】
2006072187.tif 000005
【図４】
2006072187.tif 000006
【図５】
2006072187.tif 000007
【図６】
2006072187.tif 000008